(57)【要約】      （修正有）【課題】より安全で、誤って押ボタンが押されることのない自動開閉傘手元ボタンロック装置を提供する。【解決手段】自動開閉傘手元ボタンロック装置は、手元本体を収容する円筒状の筐体１を含み、さらに押ボタン３を遮蔽するための回転可能な円筒状の保護カバー２を含み、筐体は保護カバーに套設され、保護カバーには、押ボタンと同一水平面上に位置する通し窓２１が設けられる。手元筐体の外側に回転可能で、押ボタンを操作するための窓が設けられた円筒が套設され、円筒を回転させることで押ボタンを遮蔽又は露出させることができる。傘を使用しないときは、外力に押ボタンが触れないように、円筒によって押ボタンが遮蔽され、誤って押ボタンが押されることによる誤操作を回避することができる。【選択図】図１
0003196073.tif 000002
【実用新案登録請求の範囲】
【請求項１】
手元本体を収容する円筒状の筐体を含む自動開閉傘手元ボタンロック装置であって、
さらに、押ボタンを遮蔽するための回転可能な円筒状の保護カバーを含み、前記筐体は前記保護カバーに套設され、
前記保護カバーには、前記押ボタンと同一水平面上に位置する通し窓が設けれ、
前記通し窓と前記押ボタンとが合わせられたとき、前記押ボタンを自由に操作できる
ことを特徴とする自動開閉傘手元ボタンロック装置。
【請求項２】
請求項１に記載の自動開閉傘手元ボタンロック装置であって、
前記筐体と前記保護カバーとは、有隙間（非密着状態）に套設され、
前記保護カバーの内周壁には凸出した内係止部が設けられ、前記筐体の周壁には通し溝が設けられ、前記内係止部は前記筐体の周壁の前記通し溝に収容され且つ前記通し溝に沿って円弧方向に作動でき、
前記通し溝の両側には二つの制限係止部が設けられ、前記二つの制限係止部はそれぞれ隣接する前記通し溝の周壁とで二つの制限溝を形成し、前記制限係止部は前記内係止部の移動を阻止でき、外力の下で、前記内係止部は前記制限係止部を乗り越えて前記制限溝に嵌入でき、
前記内係止部が前記二つの制限溝の中の一つの制限溝に嵌入したとき、前記保護カバーによって前記押ボタンが遮蔽され、前記内係止部が前記二つの制限溝の中のもう一つの制限溝に嵌入したとき、前記通し窓と前記押ボタンとが合わせられる
ことを特徴とする自動開閉傘手元ボタンロック装置。
【請求項３】
請求項２に記載の自動開閉傘手元ボタンロック装置であって、
前記通し溝にはＴ字形状で且つ底部のみが前記筐体と固接された弾性係止片が設けられ、前記制限係止部は前記弾性係止片の懸空（遊設）の両腕部に設けられ、前記弾性係止片の外側と前記保護カバーの内周壁との距離は前記内係止部の凸出の高さと同等であり、
前記保護カバーの内周壁にはさらに二つの凸出した定位ブロックが設けられ、前記弾性係止片の頂面と凹溝上壁とでガイド溝が形成され、前記定位ブロックは前記ガイド溝に滑接する
ことを特徴とする自動開閉傘手元ボタンロック装置。
【請求項４】
請求項２に記載の自動開閉傘手元ボタンロック装置であって、
前記制限係止部は、前記通し溝に縦立される二つの立柱である
ことを特徴とする自動開閉傘手元ボタンロック装置。
【請求項５】
請求項３に記載の自動開閉傘手元ボタンロック装置であって、
前記保護カバー及び前記保護カバー上の前記内係止部と前記定位ブロックは、一体的に成形される
ことを特徴とする自動開閉傘手元ボタンロック装置。
【請求項６】
請求項３に記載の自動開閉傘手元ボタンロック装置であって、
前記筐体及び前記筐体上の前記弾性係止片と前記制限係止部は、一体的に成形される
ことを特徴とする自動開閉傘手元ボタンロック装置。
【請求項７】
請求項４に記載の自動開閉傘手元ボタンロック装置であって、
前記筐体と前記筐体上の前記制限係止部は、一体的に成形される
ことを特徴とする自動開閉傘手元ボタンロック装置。
【考案の詳細な説明】
【技術分野】
【０００１】
本考案は、傘に関し、特に自動開閉傘手元ボタンロック装置に関する。
【背景技術】
【０００２】
現在、自動開閉傘が市場で見られるようになっているが、この自動開閉傘は、自動で開く機能を備えるだけでなく、自動で閉じる効果もあるので、非常に便利である。しかし、このような傘の押ボタンは完全に露出して手元に取り付けられているため、使用する際に、手で手元を握って不注意に押ボタンに触れると、それに応じて傘の開閉作動が生じてしまう。特に、雨や太陽を遮るために傘を使用している最中に、押ボタンに触れると、傘布が自動で閉じてしまい、使用者に多大な迷惑をかけ、安全面でもリスクが伴う。
【０００３】
中国特許（出願番号２００９２０１３８８５８、公開日２０１２年１２月１日）には、主に手元筐体１”、面カバー２”、スライドカバー３”、本体４”、押ボタン５”からなる安全傘手元が開示されている（図５）。本体４”は手元筐体１”の円筒収容室内に套設されている。押ボタン５”は手元筐体１”の側壁に横方向に作動可能に穿設され、面カバー２”は手元筐体１”の側窓１１”に嵌着され、スライドカバー３”のスライドレール３１”と面カバー２”のスライド溝２１”とは滑接し且つ手元筐体１”の側窓１１”の押ボタン５”のところに配置されている。該スライドカバー３”は、手元筐体１”に沿って上下に移動可能で、押ボタン５”の表面をカバーでき、外力に直接押ボタン５”が触れないようにし、誤って押ボタン５”が押されることによる誤操作を回避することができる。上記構造において、スライドカバー３”はスライドレール３１”とスライド溝２１”との滑接方式によって固定されているが、このような連結関係は不安定で、スライドカバー３”は手元筐体１”から外れ落ちやすい。また、スライドカバー３”のレールの上下滑動の機敏性がよくなく、操作不便である。図５を参照し本技術分野の技術知識を合わせれば分かるように、スライドカバー３”は手元の上部に設けられた押ボタン５”を遮蔽するために常に手元の上部に位置決めされているべきところ、上記構造のスライドカバー３”は底部に滑り落ちやすいため、常に押ボタン５”を遮蔽するという効果を得ることは難しい。
【先行技術文献】
【特許文献】
【０００４】
【特許文献１】中国特許出願第２００９２０１３８８５８号
【考案の概要】
【考案が解決しようとする課題】
【０００５】
本考案は上記課題を解決することを目的とし、より安全で、誤って押ボタンが押されることのない自動開閉傘手元ボタンロック装置を提供する。
【課題を解決するための手段】
【０００６】
上記目的を実現するために、本考案に係る自動開閉傘手元ボタンロック装置は、手元本体を収容する円筒状の筐体を含む自動開閉傘手元ボタンロック装置であって、さらに、押ボタンを遮蔽するための回転可能な円筒状の保護カバーを含み、前記筐体は前記保護カバーに套設され、前記保護カバーには、前記押ボタンと同一水平面上に位置する通し窓が設けれ、前記通し窓と前記押ボタンとが合わせられたとき、前記押ボタンを自由に操作できる。
【０００７】
また、好ましくは、前記筐体と前記保護カバーとは、有隙間（非密着状態）に套設され、前記保護カバーの内周壁には凸出した内係止部が設けられ、前記筐体の周壁には通し溝が設けられ、前記内係止部は前記通し溝に収容され且つ前記通し溝に沿って円弧方向に作動でき、前記通し溝の両側には二つの制限係止部が設けられ、前記二つの制限係止部はそれぞれ隣接する通し溝の周壁とで二つの制限溝を形成し、前記制限係止部は前記内係止部の移動を阻止でき、外力の下で、前記内係止部は前記制限係止部を乗り越えて前記制限溝に嵌入でき、前記内係止部が前記二つの制限溝の中の一つの制限溝に嵌入したとき、前記保護カバーによって前記押ボタンが遮蔽され、前記内係止部が前記二つの制限溝の中のもう一つの制限溝に嵌入したとき、前記通し窓と前記押ボタンとが合わせられる。
【０００８】
また、好ましくは、前記通し溝にはＴ字形状で且つ底部のみが前記筐体と固接された縦立の弾性係止片が固定されており、前記制限係止部は前記弾性係止片の懸空（遊設）の両腕部に設けられ、前記弾性係止片の外側と前記保護カバーの内周壁との距離は前記内係止部の凸出の高さと同等であり、前記保護カバーの内周壁にはさらに二つの凸出した定位ブロックが設けられ、前記弾性係止片の頂面と凹溝上壁とでガイド溝が形成され、前記定位ブロックは前記ガイド溝に滑接する。
【０００９】
また、好ましくは、前記制限係止部は、前記通し溝に縦立される二つの立柱である。
【００１０】
また、好ましくは、前記保護カバー及び前記保護カバー上の前記内係止部と前記定位ブロックは、一体的に成形される。
【００１１】
また、好ましくは、前記筐体及び前記筐体上の前記弾性係止片と前記制限係止部は、一体的に成形される。
【考案の効果】
【００１２】
以上の技術手段を採用することによって、本考案は以下の有益な効果が得られる。すなわち、本考案においては、手元筐体の外側に回転可能で、押ボタンを操作するための窓が設けられた円筒が套設され、円筒を回転させることで押ボタンを遮蔽又は露出させることができる。傘を使用しないときは、外力に押ボタンが触れないように、円筒によって押ボタンが遮蔽され、誤って押ボタンが押されることによる誤操作を回避することができる。また、この構造による押ボタンの遮蔽は、構造がより簡単で、操作がより便利であるとともに、状態がより安定で、安全・信頼性もより優れたものである。
【図面の簡単な説明】
【００１３】
【図１】実施形態１に係る分解状態図１である。
【図２】実施形態１に係る分解状態図２である。
【図３】実施形態２に係る分解状態図１である。
【図４】実施形態２に係る分解状態図２である。
【図５】従来技術の構造を示す図である。
【考案を実施するための形態】
【００１４】
以下、図面及び具体的な実施形態に基づいて、本考案についてさらに説明する。
【００１５】
＜実施形態１＞
図１〜図２に示すように、自動開閉傘手元ボタンロック装置は、手元本体（図示せず）を収容する円筒状の筐体１を含み、筐体１は押ボタン３を遮蔽するための保護カバー２に套設され、筐体１と保護カバー２とは有隙間（非密着状態）に套設される。保護カバー２には通し窓２１が設けられているが、この通し窓２１は押ボタン３と同一水平面上に位置するように設けられなければならない。保護カバー１の内周壁には凸出した内係止部２２が設けられ、筐体１の周壁には同一水平面上に通し溝１１が設けられ、保護カバー１と筐体１が套設される際に、内係止部１はちょうど通し溝１１内に収容され且つ通し溝１１に沿って円弧方向に回転して自由に作動できる。通し溝１１の両側には二つの制限係止部１２が固定され、制限係止部１２は通し溝１１に直接縦立される立柱であり、二つの制限係止部１２はそれぞれ隣接する通し溝１１の周壁とで二つの制限溝１３を形成する。平素傘を使用するときは、保護カバー２上の内係止部２２が制限溝１３に嵌入し、押ボタン３が遮蔽され、外力に押ボタン３が直接触れることによる誤操作で使用者に危害をもたらすことが回避される。一方、傘を開閉するときは、力を入れて保護カバー２を回すと、内係止部２２が第一の制限係止部１２を乗り越えて第一の制限溝１３から二つの制限係止部１２の間の領域に進入し、第二の制限係止部１２に到達したとき、さらに力を入れて保護カバー２を回すと、内係止部２２が同様に第二の制限係止部１２を乗り越えて第二の制限溝１３に嵌入し、このときに押ボタン３と通し窓２１とが合わせられて、使用者が通し窓２１を通して押ボタン３を自由に操作することができる。以上の過程は逆方向に操作することもできる。本実施形態においては、筐体１及び制限係止部１２が一体的に成形され、保護カバー２及び内係止部２２が一体的に成形されるが、この構造は、構造が簡単で、組立が便利で、製造コストが低く、保護カバー２を筐体１に套設させるだけで、誤操作を効果的にに回避することができ、信頼性が高い。
【００１６】
＜実施形態２＞
図３〜図４に示すように、自動開閉傘手元ボタンロック装置は、手元本体（図示せず）を収容する円筒状の筐体１’を含み、筐体１’は押ボタン３’を遮蔽するための保護カバー２’に套設され、筐体１’と保護カバー２’とは有隙間（非密着状態）に套設される。保護カバー２’には通し窓２１’が設けられているが、この通し窓２１’は押ボタン３’と同一水平面上に位置するように設けられなければならない。保護カバー１’の内周壁には凸出した内係止部２２’が設けられ、筐体１’の周壁には同一水平面上に通し溝１１’が設けられ、保護カバー１’と筐体１’が套設される際に、内係止部１’はちょうど通し溝１１’内に位置され且つ通し溝１１’に沿って円弧方向に自由に作動できる。通し溝１１’の両側には二つの制限係止部１２’が固定され、制限係止部１２’は弾性係止片１４’に固定され、弾性係止片１４’はＴ字形状で且つ底部のみが筐体１’と連結され、制限係止部１２’は弾性係止片１４’の懸空（遊設）の両腕部に固定される。実施形態１と同様に、二つの制限係止部１２’はそれぞれ隣接する通し溝１１’の周壁とで二つの制限溝１３’を形成する。傘を使用しないときは、保護カバー２’上の内係止部２２’が制限溝１３’に嵌入し、外力に直接押ボタン３’が触れることによる誤操作で使用者に危害をもたらすことが回避される。一方、傘を操作するときは、力を入れて保護カバー２’を回すと、内係止部２２’が第一の制限係止部１２’を乗り越えて第一の制限溝１３’から二つの制限係止部１２’の間の領域に進入し、弾性係止片２２’に密着して第二の制限係止部１２’まで滑行したとき、さらに力を入れて保護カバー２’を回すと、内係止部２２’が同様に第二の制限係止部１２’を乗り越えて第二の制限溝１３’に嵌入し、このときに押ボタン３’と通し窓２１’とが合わせられて、使用者が通し窓２１’を通して押ボタン３’を自由に操作することができる。本実施形態においては、制限係止部１２’は弾性係止片１４’の両腕部に固定され、力を入れて操作すると、制限係止部１２’の両腕部が主動的に軸芯方向に移動し跳ね返るので、回転操作で内係止部２２’に制限係止部１２’を乗り越えさせることをより力を省いて実現するとともに、制限係止部１２’も摩耗しない。また、弾性係止片１４’と筐体１’の接触面を大きくして、制限係止部１２’の寿命を向上させることができる。弾性係止片１２’の頂面と通し溝１１’の頂面とでガイド溝１５’が形成され、定位孔２３’がガイド溝１５’に滑接し、保護カバー２’を効果的に位置決めして上下位置ずれを回避し、筐体１’に対する位置関係の安定性を向上させる。本実施形態において、筐体１’及び制限係止部１２’と弾性係止片１４’が一体的に成形され、保護カバー２’及び内係止部２２’と定位ブロック２３’が一体的に成形される。
【００１７】
以上の記載は、本考案の最適な実施形態に過ぎず、本考案の範囲を限定するものではない。本考案の請求の範囲に対して行われた均等の変更や修飾は、いずれも本考案の範囲に含まれる。
【符号の説明】
【００１８】
１              筐体
１１            通し溝
１２            制限係止部
１３            制限溝
２              保護カバー
２１            通し窓
２２            内係止部
３              押ボタン
１’            筐体
１１’          通し溝
１２’          制限係止部
１３’          制限溝
１４’          弾性係止片
１５’          ガイド溝
２’            保護カバー
２１’          通し窓
２２’          内係止部
２３’          定位ブロック
３’            押ボタン
１”            手元筐体
１１”          側窓
２”            面カバー
２１”          スライド溝
３”            スライドカバー
３１”          スライドレール
４”            本体
５”            押ボタン
【図１】
0003196073.tif 000003
【図２】
0003196073.tif 000004
【図３】
0003196073.tif 000005
【図４】
0003196073.tif 000006
【図５】
0003196073.tif 000007